(57)【要約】【課題】拭き取った水分や汗の発散を促進し、ベトツキ感を早期に緩和することができる複合ハンカチを提供する。【解決手段】ハンカチ１を少なくとも表裏２枚の生地で構成し、表面側には吸水性の優れた生地を配し、裏面側には吸湿性と優れた放湿機能を備えた生地を配して、表面側の生地２で拭き取った水分が裏面側の生地４に浸透移行して裏面側から積極的に放湿させるようになした。【選択図】図１
2007100267.tif 000002
【特許請求の範囲】
【請求項１】
少なくとも表裏２枚の生地からなる複合ハンカチにして、表面側には吸水性に優れた生地が配され、裏面側には吸湿性と優れた放湿機能を備えた生地が配され、周辺が縫着されて一体化されていることを特徴とする複合ハンカチ。
【請求項２】
上記表面側の生地と裏面側の生地にそれぞれ異なる模様がデザインされていることを特徴とする請求項１記載の複合ハンカチ。
【請求項３】
上記裏面側の吸水性と優れた放湿機能を備えた生地が、異形断面を有する多数の微細繊維の集合糸で編成された編地である請求項１記載の複合ハンカチ。
【請求項４】
上記表面側の吸水性に優れた生地と裏面側の優れた放湿機能を備えた生地との間に、ガーゼ地が介装されていることを特徴とする請求項１記載の複合ハンカチ。
【発明の詳細な説明】
【技術分野】
【０００１】
本発明は少なくとも表裏２枚の生地からなる複合ハンカチ、詳しくは表面側が通常のハンカチと同様に吸水性の生地、裏面側が吸湿性と優れた放湿機能を備えた生地で構成された複合ハンカチに関するものである。
【背景技術】
【０００２】
ハンカチには一般に木綿、絹などの吸水性と染色性に優れた１枚の生地が用いられ、純白なものの他に先染やプリントあるいは刺繍により多種多様な模様がデザインされて市販されている。また近年、人体から放出される汗を吸収し、吸収した汗の放出発散性に優れた生地が開発されるに至っているが、かかる生地は木綿に比べて吸湿性がやや劣ることから、専らスポーツウェアや下着に適用されている。
【発明の開示】
【発明が解決しようとする課題】
【０００３】
解決しようとする問題点は、通常のハンカチは１枚の吸水性生地であることから、単位面積当たりの給水量が少なく、頻繁に汗を拭いたりあるいは手洗い後の場合のように多量の水分を拭き取った場合には表裏両面共に同じような濡れ現象が生じ、折り畳んでも濡れ部分が表面に現れてバッグやポケットに収納した場合、水分がバッグやポケットの一部に移りやすいということであり、またハンカチ自体が１枚の生地で作られているから表面と裏面が同じ柄模様となり、ファッション性に乏しいばかりでなく購入時の柄模様の選択の幅が限られるということである。
【課題を解決するための手段】
【０００４】
本発明は上記した課題を解決するため、ハンカチを少なくとも表裏２枚の生地でもって構成し、表面側には吸水性に優れた生地を配し、裏面側には吸水性と優れた放湿機能を備えた生地を配し、周辺を縫着して１枚もののハンカチとなし、表面側で拭き取った水分や汗による濡れが直接裏面に現れにくいようになすとともに裏面側に移行した水分を裏面側から徐々に放出発散させることができるようになしたものである。
【０００５】
また上記複合ハンカチのファッション性を高め、購入時の色柄や模様の選択の幅を広げるため、上記複合ハンカチの表面側の生地と裏面側の生地にそれぞれ異なる模様をデザインし、汗拭き側と拭き取った水分の放出側とを模様や色調により識別できるようになしたものである。
【０００６】
上記複合ハンカチの表面側を構成するところの吸水性の生地としては、細番手糸による綿織物や絹織物が好適であり、模様デザインは地織柄、先染、プリントあるいは刺繍などいずれによって表現してもよい。
【０００７】
また上記複合ハンカチの裏面側を構成するところの吸湿性と優れた放湿機能を備えた生地としては、例えば、異形断面を有する多数の微細繊維の集合糸であるハイグラ「商品名：ユニチカ（株）製」ルミエース「商品名：ユニチカ（株）製」を用いて編成された編地が好ましく適用でき、表面側とは異なる模様をプリントして使用するとよい。
【０００８】
上記表面側の吸水性に優れた生地と優れた裏面側の放湿機能を備えた生地との間に、もう１枚の他の吸水性生地、例えばガーゼ地、タオル地を介装することも好ましい実施の態様であり、その介装したガーゼ地、タオル地が水分の蓄層となってハンカチ自体の吸水量を増大することができ、表面側で吸収した水分や汗をガーゼ地、タオル地に浸透移行させ、さらにこのガーゼ地やタオル地の水分を裏面側へ浸透移行させて裏面側において放湿させることができる。
【発明の効果】
【０００９】
このように本発明の複合ハンカチは、少なくとも表裏２枚の生地からなり、表面側には吸水性の生地を配し、裏面側には吸湿性と優れた放出機能を備えた生地を配し、周辺を縫着して一体化してなるものであり、表面側は通常のハンカチ同様に手洗い後の水拭きや汗拭きとして使用することができるばかりでなく使用後表面側で拭き取った水分や汗による濡れが直接裏面側に現れにくく、裏面側を表として折り畳めば水分がポケットやバッグの一部に移行し難いばかりでなく裏面側の放湿作用によって水分を徐々に蒸散させることができる。
【００１０】
また上記表面側の生地と裏面側の生地にそれぞれ異なる模様がデザインされた複合ハンカチにおいては、汗や水分の拭き側と拭き取った水分の放出側とを模様や色調により識別できるうえ、従来の表裏が単調な同じ模様のハンカチに比べてハンカチのファッション性が向上し、購入時の表裏の柄模様の選択の幅が広がり購買力を高めることができる。
【００１１】
また、表面側と裏面側の間に吸水性に富んだガーゼ地やタオル地を介装した態様においては、ハンカチ自体の吸水量が増大するばかりでなく、表面側から浸透した水分を溜めて裏面側に浸透移行させ、裏面側から放湿させることによって多量の水分を吸収したにも拘らず表面側のベトツキ感を緩和することができる。殊に上記介装地がガーゼ地である場合は、ハンカチが３層構造でありながら嵩高感がなく柔軟性が確保され、従来のハンカチ同様にコンパクトに折り畳みすることができる。
【発明を実施するための最良の形態】
【００１２】
吸水性に優れたセルロース系繊維からなる細番手の糸でもって製織され、プリントにより模様がデザインされたハンカチ生地を方形に裁断し、プリントによりハンカチ生地とは異なる模様がデザインされた吸湿性と優れた放湿機能を備えた編地をハンカチ生地よりもやや小さい大きさに裁断してハンカチ生地の片面に重ね合わせ、ハンカチ生地の周辺部を編地の周縁上に折り返したのちその折り返した周辺部を縫着して両生地を一体化し、表面側が模様がデザインされた吸水性に優れた生地、そして裏面側が表面側とは異なる模様がデザインされた吸湿性と優れた放湿機能を備えた生地で構成された複合ハンカチとなした。
【実施例１】
【００１３】
以下本発明の実施例を示した図面に基づき説明すると、図１は本発明の基本的な実施態様を示しているものであって、１は複合ハンカチ、２は８０番手（綿番手）の綿糸を経緯に用いて製織された吸水性に優れた表面側の生地であり、この表面側の生地２の表面にはプリント模様３Ａが染色デザインされている。４は優れた放湿機能を備えた裏面側の生地であり、この裏面側の生地には表面側の生地とは異なる模様３Ｂがデザインされている。本実施例１においては、この優れた放湿機能を備えた裏面側の生地４として、吸湿性と優れた放湿機能を備えた素材であるハイグラ「商品名：ユニチカ（株）製」ルミエース「商品名：ユニチカ（株）製」（異形断面を有する多数の微細繊維の集合糸）を用いて編成された二重編地が用いられている。
【００１４】
本発明の複合ハンカチ１は、吸水性に優れた表面側の生地２を縦横３０ｃｍの方形に裁断し、他方上記放湿機能を備えた裏面側の生地４を縦横２４ｃｍの方形に裁断して表面側の生地の中央部に重ね合わせ、図２に示しているように表面側の生地の周縁部５を約１．５ｃｍ内側に折り曲げてその折り曲げた周縁部でもって裏面側の生地の周縁部を包み込み、周端縁５において縫着６し一体化して図１に示したような複合ハンカチ１となしている。
【実施例２】
【００１５】
図３は、上記実施例１の吸水性に優れた表面側の生地２と放湿機能を備えた裏面側の生地４との間に、裏面側の生地４と同形のガーゼ地７を介装し、実施例１と同様に表面側の生地の周縁部５でもって裏面側の生地４とガーゼ地７のそれぞれの周縁部を包み込み（図４参照）、縫着６して一体化し、３層構造の複合ハンカチ１となした実施態様を示している。
【産業上の利用可能性】
【００１６】
このように本発明の複合ハンカチ１は少なくとも表裏２枚の生地からなり、表面側には模様がデザインされた吸水性に優れた生地２が配され、裏面側には表面側とは異なる模様がデザインされた吸湿性と優れた放湿機能を備えた生地４が配され、周辺を縫着６されて一体化されてなるものであるから、表面側は従来のハンカチ同様に手拭きや汗拭きとして使用できるばかりでなく濡れが直接裏面側に現われにくく、裏面側のベトツキ感を緩和することができる。したがって、複合ハンカチ１を表面側が内側、裏面側が外側となして折り畳めば、外側のベトツキが少なく、したがって水分がポケットやバッグの一部に移行し難いうえに表面側から裏面側に浸透移行した水分は、図５に示しているように、裏面側の放湿作用によって徐々に蒸散させることができ、携帯に好都合なハンカチとなる。殊に表裏面をそれぞれ異なる柄模様となした場合は、吸水性の優れた表面側と放湿機能を備えた裏面側との識別が容易であるばかりでなく、ファッション性が向上し、購入時の柄模様の選択の幅が広がり、特に女性用として好適となる。
【００１７】
また、表面側の生地２と裏面側の生地４との間にガーゼ地７を介装した態様においては、ハンカチ自体の単位面積当たりの給水量が増大するばかりでなく、上記同様に複合ハンカチ１を表面側が内側、裏面側が外側となして折り畳めば、外側のベトツキが少なく、したがって水分がポケットやバックの一部に移行し難いうえに、表面側からガーゼ地７を介して裏面側に浸透移行した水分は、図６に示しているように、裏面側の放湿作用によって徐々に蒸散させることができる。
【図面の簡単な説明】
【００１８】
【図１】本発明の複合ハンカチの実施例を示した斜視図である。
【図２】図１の複合ハンカチの周縁部の状態を示した断面図である。
【図３】本発明の他の実施の態様を示した一部破断斜視図である。
【図４】図３の複合ハンカチの周縁部の状態を示した断面図である。
【図５】拭き取り水分の放湿作用を略示した断面図である。
【図６】拭き取り水分の放湿作用を略示した断面図である。
【符号の説明】
【００１９】
１    複合ハンカチ
２    吸水性に優れた生地
３Ａ  表面側生地のプリント模様
３Ｂ  裏面側生地のプリント模様
４    優れた放湿機能を備えた生地
５    表面側生地の周縁部
６    縫着
７    ガーゼ地
【図１】
2007100267.tif 000003
【図２】
2007100267.tif 000004
【図３】
2007100267.tif 000005
【図４】
2007100267.tif 000006
【図５】
2007100267.tif 000007
【図６】
2007100267.tif 000008